Podtech/llm-jp-corpus-v4-ja_patent huggingface dataset:
(57)【要約】【課題】握力が弱くペットボトルの小さなキャップを開けることが困難な高齢者や、子供達の為に容易にキャップを開ける事が出来るオープナーと、埃が入りにくく、底部はフラットである為衛生的なコップを提供する。【解決手段】キャップオープナー本体（１）とコップ（３）が分割されたペットボトル用オープナーつきコップを特徴とする。【選択図】図１
2010095312.tif 000002
【特許請求の範囲】
【請求項１】
キャップオープナー本体（１）に脱着可能なコップ（３）を設けた、ペットボトル用オープナーつきコップである。
【発明の詳細な説明】
【技術分野】
【０００１】この発明は、キャップオープナー本体に脱着式のコップを設けたキャップボトル用オープナーつきコップに関するものである。
【背景技術】
【０００２】従来のペットボトル用コップはキャップとコップが一体化していて、コップ底部のキャップ用ネジ切り部に埃や水滴が溜まり易く見た目にも不衛生的であった。
【発明の開示】
【発明が解決しようとする課題】
【０００３】握力が弱くペットボトルの小さなキャップを開けることが困難な高齢者や、子供の為に容易にキャップを開ける事が出来るオープナーと、埃が入りにくく、底部はフラットである為衛生的なコップを提供する。
【課題を解決するための手段】
【０００４】キャップオープナー本体（１）とコップ（３）を分割する。本発明は、以上の構成よりなるペットボトル用オープナーつきコップである。
【発明の効果】
【０００５】キャップオープナーが付いている為に握力の弱い高齢者や子供でも容易にペットボトルのキャップを開ける事が出来る、セットされているコップは底部がフラットである為、埃が付きにくく衛生的である。
【発明を実施するための最良の形態】
【０００６】以下、本発明を実施するための最良の形態について説明する。
キャップオープナー本体（１）底部にオープナー用レット部（２）を設けるキャップオープナー本体（１）に接合部（４）を設ける。接合部（４）ににコップ（３）をセットする。レット部（２）をペットボトルのキャップに差し込む事により、ペットボトルと一体として持ち運べる。ペットボトルのキャップを開栓する時はキャップオープナー本体（１）の下部に設けられた回転部（５）をひねってペットボトルのキャップを外す。コップを使用する時は接合部（４）から取り外し反転して使用すればよい。
【図面の簡単な説明】
【０００７】
【図１】本発明の斜視図
【図２】本発明の断面図
【符号の説明】
【０００８】１    キャップオープナー本体
２    オープナー用レット部
３    コップ
４    接合部
５    回転部
【図１】
2010095312.tif 000003
【図２】
2010095312.tif 000004
(57)【要約】      （修正有）【課題】階段に台車レールを取付ける時は階段の寸法に合わせ現場で長短の加工工事で寸法を合わせる為、工事日数が２、３日要していた。工事の間階段が使用できず不便を感じていたが、台車の車輪が脱輪する事がなく安全・安定走行が出来る台車走行レールを提供する。【解決手段】階段の寸法に合わせた、台車レールの加工工事を不要にする為、長短不揃いの階段にＣ型部材レール３，４を組合せ、台車２とＣ型部材レールが階段の長さに合わせて伸縮しても台車の車輪５〜８がＣ型部材の外側及び内側レールに収納されている。【選択図】図６
2010095381.tif 000002
【特許請求の範囲】
【請求項１】
長短不揃いの階段にＣ型状部材に加工したレールを組合せ伸縮自在可能にして取り付け、安全走行できる台車走行レール。
【請求項２】
Ｃ型部材のレールが伸縮しても台車の車輪が必ずＣ型状部材レール内側に収納されて脱輪する事無く安全である。
【請求項３】
伸縮自在のＣ型状部材レールの両端にチョウバン状部材を固定して階段の角度の違いを無理なく、簡単、安全に止め、固定が出来る。
【発明の詳細な説明】
【技術の分野】
【０００１】本発明は階段昇降機のレール取り付けを安全簡単に改善する事である。
【背景技術】
【０００２】従来の階段昇降機は設置取り付けには現場で階段の長短に合わせて作業をしても、レール加工工事期間が早くて２，３日かかっていた。
【発明の開示】
【発明が解決しようとする課題】
【０００３】以上述べたように階段昇降機の組立を安全、簡単、低価額に組立を出来るように開発したＣ型状部材レールを開発して問題を解決した。【０００４】本発明は、長短不揃いの階段にＣ型状部材レールの組合せを伸縮させて設置しても台車の車輪が脱輪する事無く安定・安全に走行が出来、簡単、自在にＣ型状部材レールを組立、取付け設置ができる。
【課題を解決する為の手段】
【０００５】階段の寸法に合わせた台車レールの加工工事を不要にする為、長短不揃いの階段にＣ型状部材レールを組合せ、先端、後端にチョウバン状部材を取り付け固定し、Ｃ型状部材レールを階段の長さに合わせて伸縮しても台車の車輪がＣ型状部材レールの外側及び内側に収納されているので脱輪する事がなく安全・安定走行が出来る目的を持つ台車走行レール。
【発明の効果】
【０００６】従来のように時間を無駄にせず短時間でＣ型状部材レールを簡単に組立、台車も安全、安心、簡単に組立設置できる。
【０００７】又組立作業も複数人ではなく、１人でも短時間で組立設置でき、購買しやすくなり安定し商品として提供できる。
【発明の実施するための最良の形態】
【０００８】以下は本発明の実施の形態について説明する。
図１のように階段にＣ型状部材レール３とＣ型状部材レール４の組合せでＣ型状部材レールを階段１の下から上までの寸法に伸縮させて取付け、チョウバン状部材で、階段１に固定する。台車２をＣ型状部材３の上部より台車２の車輪がＣ型状部材レール３の内側に差し込んで設置する。Ｃ型状部材レール３の地点を台車２がＣ型状部材レール３を通過する時は、台車２に内臓されている車輪５と車輪７がＣ型状部材レールの内側にあり、その後Ｃ型状部材レール４を通過する時は、車輪６と車輪８がＣ型状部材レール４の内側にあるので、絶えず安全安定した台車２の走行が脱輪することがなく安全、安心できる。
【図面の簡単な説明】
【０００９】
【図１】本発明のＣ型状部材レールを縮めた時の側面図である。
【図２】本発明のＣ型状部材レールを伸ばした時の側面図である。
【図３】本発明のＣ型状部材レールを伸ばした時の正面図である。
【図４】本発明のＣ型状部材レールと台車の組合せの平面図である。
【図５】本発明のＣ型状部材レールと台車の組合せの側面図である。
【図６】本発明のＣ型状部材レールと台車の組合せの平面透視図である。
【図７】台車と本発明のＣ型状部材レールの組み合わせ時の断面図である。
【図８】本発明のＣ型状部材レールの３，４の断面図である。
【図９】本発明のＣ型状部材レールの３，４の側面図である。
【図１０】本発明のＣ型状部材レールの３，４の断面図である。
【図１１】本発明のＣ型状部材レールの３，４の側面図である。
【図１２】本発明のＣ型状部材レールの断面図である。
【図１３】本発明のＣ型状部材レールの断側面図である。
【符号の説明】
１．  階段
２．  車輪を内臓した台車
３．  Ｃ型状部材レール
４．  Ｃ型状部材レール
５．  車輪
６．  車輪
７．  車輪
８．  車輪
９．  チョウバン状部材
【図１】
2010095381.tif 000003
【図２】
2010095381.tif 000004
【図３】
2010095381.tif 000005
【図４】
2010095381.tif 000006
【図５】
2010095381.tif 000007
【図６】
2010095381.tif 000008
【図７】
2010095381.tif 000009
【図８】
2010095381.tif 000010
【図９】
2010095381.tif 000011
【図１０】
2010095381.tif 000012
【図１１】
2010095381.tif 000013
【図１２】
2010095381.tif 000014
【図１３】
2010095381.tif 000015
(57)【要約】【課題】厨芥袋を流し台用ゴミ容器に入れて使用したものにおいて、厨芥袋を流し台用ゴミ容器の開口より入れ、流し台用ゴミ容器から出た部分を開口部で外側へ折り返しして流し台用ゴミ容器に装着しているが、外側へ折り返して、垂れ下がった部分は何も使用していない。厨芥が流し台用ゴミ容器の開口部までくると厨芥袋ととものに捨てていたため、厨芥袋が有効に使用できていないという課題がある。【解決手段】厨芥袋を流し台用ゴミ容器に入れて使用しているものにおいて、厨芥が流し台用ゴミ容器の開口部まで来たときに、本発明品の積み増し流し台用ゴミ容器を流し台用ゴミ容器の開口部へ載せて、流し台用ゴミ容器の開口部から外側へ折り返し垂れ下がっている厨芥袋を戻して積み増し流し台用ゴミ容器に沿わせるようにすると、今まで使用していない厨芥袋部分も使用できることになる。【選択図】図１
2010095382.tif 000002
【特許請求の範囲】
【請求項１】
台所の流し台の隅に設置して使用する流し台用ゴミ容器に載せるものにおいて、上部の開口部と下部の開口部と環状する側面部を設けた積み増し流し台用ゴミ容器。
【請求項２】
環状する側面部に複数の小穴を貫通させた請求項１の積み増し流し台用ゴミ容器。
【請求項３】
環状する側面部が弾性体を有する請求項１又は請求項２の積み増し流し台用ゴミ容器。
【発明の詳細な説明】
【技術分野】
【０００１】本発明は、台所の流し台に設置して使用する流し台用ゴミ容器の増設ゴミ容器に関するものである。
【背景技術】
【０００２】流し台のコーナーには、料理中に出たゴミや食後の食べ残しのゴミを収容する流し台用ゴミ容器、いわゆる「三角コーナー」が知られている。厨芥を直接流し台用ゴミ容器に入れることもあるが、最近ではネットによって形成された厨芥袋を流し台用ゴミ容器に入れておき、厨芥袋とともに厨芥を捨てる場合が多くなっている。厨芥袋を有効に活用するものとして流し台用ゴミ容器の側面に脱着可能な棒状の支持体を設けているものが知られている。（特許文献１参照）。
【特許文献１】  特開２００５−３５７５２号公報
【発明の開示】
【発明が解決しようとする課題】
【０００３】厨芥袋を流し台用ゴミ容器に入れて使用しているものにおいて、厨芥袋を流し台用ゴミ容器の開口より入れ、流し台用ゴミ容器から出た部分を開口部で外側へ折り返しして流し台用ゴミ容器に装着しているが、外側へ折り返しして、垂れ下がった部分は何も使用していない。厨芥袋を流し台用ゴミ容器の外側へ折り返しして垂れ下がった部分を多くとっているのは、厨芥が多いと流し台用ゴミ容器の中へ厨芥袋が引っ張られて厨芥袋の口が閉まってしまうなどを回避するために厨芥袋が流し台用ゴミ容器の外側へ大きく垂れるようにしている。しかし厨芥が流し台用ゴミ容器の開口部までくると厨芥袋ととものに捨てていたため、厨芥袋が有効に使用できていないという課題がある。
よって本発明は、この従来の不満点を解消し要求に応えるべく発明された積み増し流し台用ゴミ容器であって、流し台用ゴミ容器に装着している厨芥袋の未使用部分を有効に使用することを目的とする。
【課題を解決するための手段】
【０００４】上記目的を達成するため、本発明は次の構成を備える。すなわち、本発明に係る積み増し流し台用ゴミ容器は、流し台用ゴミ容器の上に載せるもので、上部の開口部と下部の開口部と環状する側面部を構成したものである。或いは環状する側面部が複数の小穴を貫通した構成になっている。または、弾性体を有する環状する側面部、或いは弾性体を有する環状する側面部が複数の小穴を貫通している構成になっている。
【発明の効果】
【０００５】厨芥袋を流し台用ゴミ容器に入れて使用しているものにおいて、厨芥が流し台用ゴミ容器の開口部まで来たときに、本発明品の積み増し流し台用ゴミ容器を流し台用ゴミ容器の開口部へ載せて、流し台用ゴミ容器の開口部から外側へ折り返し垂れ下がっている厨芥袋を戻して積み増し流し台用ゴミ容器に沿わせるようにすると、今まで使用していない厨芥袋部分も使用できることになる。
【発明を実施するための最良の形態】
【０００６】以下、本発明の実施の形態を説明する。
上部の開口部（１）と下部の開口部（２）と環状する側面部（３）を構成している。
他の形態として、環状する側面部（３）は、複数の小穴（８）を貫通させた構成をしている。そのほか他の形態として、環状する側面部（３）は、弾性体を有した構成をしている。
本発明は以上のような構造である。
本発明を使用するときは、厨芥袋（６）を流し台用ゴミ容器（５）に入れて使用しているものにおいて、厨芥（７）が流し台用ゴミ容器（５）の開口部まで一杯になったときに、本発明品の積み増し流し台用ゴミ容器（４）を使用する。厨芥（７）で一杯になった流し台用ゴミ容器（５）の厨芥（７）の上に積み増し流し台用ゴミ容器（４）を載せ、流し台用ゴミ容器（５）の開口部から外側へ折り返し垂れ下がっていた厨芥袋（６）を積み増し流し台用ゴミ容器（４）に沿わすようにして折り返ししていた厨芥袋（６）を戻すようにして立てる。流し台用ゴミ容器（５）の上に積み増し流し台用ゴミ容器（４）を載せると２階部分ができて厨芥（７）がさらに収容できることになり、未使用であった厨芥袋（６）も有効に活用できる。厨芥（７）を流し台用ゴミ容器（５）から捨てるときは、積み増し流し台用ゴミ容器（４）を取り出して、流し台用ゴミ容器（５）から厨芥（７）が一杯に詰まった厨芥袋（６）を取り出し、水気を切ってポリバケツなどに捨てる。
【実施例】
【０００７】発明の実施の形態を実施例にもとづき図面を参照して説明する。図１は、本発明の使用状態の説明図である。厨芥袋を流し台用ゴミ容器に入れて開口部で外側に折り返しをしており、厨芥が流し台用ゴミ容器の開口部まできたため、本発明品の積み増し流し台用ゴミ容器を流し台用ゴミ容器の厨芥の上に載せた状態である。図３は、本発明の使用状態の説明図である。積み増し流し台用ゴミ容器を流し台用ゴミ容器の厨芥の上に載せて、折り返しをしていた厨芥袋を戻して、積み増し流し台用ゴミ容器に沿わしている状態である。【０００８】図４は、他の実施例を示すもので、複数の小穴を貫通させて水切りを良くしたものである。また、本発明品は弾性体へ置き換えることができる。
【図面の簡単な説明】
【０００９】
【図１】本発明の使用状態の斜視図である。
【図２】本発明の斜視図である。
【図３】本発明の使用状態の斜視図である。
【図４】他の実施例を示す斜視図である。
【符号の説明】
【０００１０】１  上部の開口部
２  下部の開口部
３  環状する側面部
４  積み増し流し台用ゴミ容器
５  流し台用ゴミ容器
６  厨芥袋
７  厨芥
８  小穴
【図１】
2010095382.tif 000003
【図２】
2010095382.tif 000004
【図３】
2010095382.tif 000005
【図４】
2010095382.tif 000006
(57)【要約】      （修正有）【課題】安全を保つ為にある程度の強度が必要とされるのだが、その為にはクレーン式傾斜台車昇降機自体の重量が重くなってしまい、積載重量の範囲が狭くなってしまう為、小型車での設置が困難となってしまうこと。【解決手段】物理的に負荷のかかりにくい部位に軽量化を施す。【選択図】図２
2010095379.tif 000002
【特許請求の範囲】
【請求項１】
クレーン動力を利用した傾斜台車
【請求項２】
ここから書き始めます。
【発明の詳細な説明】
【技術分野】
【０００１】  ここから書き始めます。
【背景技術】
【０００２】
【特許文献１】平積みの状態から工場設備を利用し斜めへリフトアップし陸送可能の状態で固定させる。
【特許文献２】製作可能なサイズも幅広く対応できる為、小型・中型クラスでも設置でき、発明品自体には動力源が無い為、低コストでの製作が可能。
【非特許文献１】固定式の傾斜台車（以下、傾斜架台とする）が用いられるケースがあるが、クランプ・ワイヤー等で縦吊りにした状態での積込みの方法しかなく、重量物であればあるほど危険を伴う。
【非特許文献２】傾斜台車のエンジン等の動力を使用しているのは一般的にトレーラーでしか存在せず、進入可能な場所が限られ、コスト面としても負担が大きい。
【発明の開示】
【発明が解決しようとする課題】道路交通法に反した規制範囲外（幅２５００ｍｍ以上）での積込み。
傾斜架台等へのクランプ等での積込み方法による危険性。
傾斜台車トレーラーでは進入不可能な場所が多いこと。
【課題を解決するための手段】クレーン等の工場設備を利用し、規制幅以上の物を平積みから斜めになるよう起こし道路交通法の規制に基づいた積載を可能にさせること
【発明の効果】コストに換算すると傾斜台車トレーラーであれば大きな負担が発生し、保有者は限られてしまうのだが、この発明であれば工場設備の動力源を利用する為、低コスト・及び小型車から大型車まで幅広く対応が可能である。
【発明を実施するための最良の形態】安全面の確保・利便性の追及
【実施例】なし
【産業上の利用可能性】現状では、道路交通法の改正に伴い、幅の広いものは分割するなどの手段で対応しているところが多く、使用の際にはそれぞれをつなぐ為の二次加工等の施工が行われているのだが、それら労働力の削減。
【図面の簡単な説明】構造は簡単で、積載物を積載する床板が平積みできる時・傾斜リフトした時でそれぞれでの脚を設置。右上部に設置されている吊り金具にクレーンを掛けて、動作を行う。
【図１】本体の後方図についての左側の脚は支点として役割をし、右側の脚の負担を軽減させる為、中心寄りに設置。右側の脚は床板を上げ下げする時でそれぞれでの支えとして二通りの脚を設置。
【符号の説明】
【図１】
2010095379.tif 000003
【図２】
2010095379.tif 000004
【手続補正書】
【提出日】平成21年2月7日(2009.2.7)
【手続補正１】
【補正対象書類名】明細書
【補正対象項目名】全文
【補正方法】変更
【補正の内容】
【発明の詳細な説明】
【技術分野】
【０００１】ここから書き始めます。
【背景技術】
【０００２】
【特許文献１】平積みの状態から工場設備を利用し斜めへリフトアップし陸送可能の状態で固定させる。
【特許文献２】製作可能なサイズも幅広く対応できる為、小型・中型クラスでも設置でき、発明品自体には動力源が無い為、低コストでの製作が可能。
【非特許文献１】固定式の傾斜台車（以下、傾斜架台とする）が用いられるケースがあるが、クランプ・ワイヤー等で縦吊りにした状態での横込みの方法しかなく、重量物であればあるほど危険を伴う。
【非特許文献２】傾斜台車のエンジン等の動力を使用しているのは一般的にトレーラーでしか存在せず、進入可能な場所が限られ、コスト面としても負担が大きい。
【発明の開示】
【発明が解決しようとする課題】
【０００３】道路交通法に反した規制範囲外（幅２５００ｍｍ以上）での積込み。
傾斜架台等へのクランプ等での積込み方法による危険性。
傾斜台車トレーラーでは進入不可能な場所が多いこと。
【課題を解決するための手段】
【０００４】クレーン等の工場設備を利用し、規制幅以上の物を平積みから斜めになるよう起こし道路交通法の規制に基づいた積載を可能にさせること。
【発明の効果】
【０００５】コストに換算すると傾斜台車トレーラーであれば大きな負担が発生し、保有者は限られてしまうのだが、この発明であれば工場設備の動力源を利用する為、低コスト・及び小型車から大型車まで幅広く対応が可能である。
【発明を実施するための最良の形態】
【０００６】安全面の確保・利便性の追求。
【実施例】
【０００７】なし
【産業上の利用可能性】
【０００８】現状では、道路交通法の改正に伴い、幅の広いものは分割するなどの手段で対応しているところが多く、使用の際にはそれぞれをつなぐ為の二次加工等の加工がおこなわれているのだが、それらが労働力の削減。
【図面の簡単な説明】
【０００９】構造は簡単で、積載物を積載する床板が平積みできる時・傾斜リフトした時でそれぞれでの脚を設置。右上部に設置されている吊り金具にクレーンを掛けて、動作を行う。
【図１】図は台車の下降時の設置時の後方から見た図面です。本体の後方についての左側の脚は交点として役割をし、右側の脚の負担を軽滅させる為、中心寄りに設置。右側の脚は床板を上げ下げする時でそれぞれでの支えとして二通りの脚を設置。
【図２】図２は台車の上昇時での図であり、図１での右側の脚で支えていたものが、長尺の脚へ変更され、中心寄りに設置されている左側の脚で固定される。台車は道路交通法の規制範囲内である２５００ｍｍ未満で調整。右側のクレーンを掛ける為の吊り金具によって可動させる事ができる左側の固定される脚は上昇下降時においての重量負荷を軽滅させる為に中心寄りへ設置。
(57)【要約】      （修正有）【課題】多くの鍵違いの組合せを作ることが可能で、スペアー用の鍵を容易に登録することが可能な札状の平板の鍵を提供する。【解決手段】札状の平板に複数の穴または隙間１を設け、それを鍵３とし、鍵のコントロール装置４に挿入した際、複数の光電素子７で複数の穴または隙間１を検出し、あらかじめ鍵のコントロール装置４内に登録されている穴または隙間の有無のパターンと比較し、合致していれば開錠するようにする。これにより、例えば１０個の穴または隙間の有無より１０２４通りの鍵番違いの組合せをつくりことができる。また、鍵３を紛失した場合は、登録変更用の鍵３を挿入後に別の鍵３を挿入すると、鍵のコントロール装置の登録内容が変わり、別の鍵３をスペアーの鍵３として使用することが可能となる。【選択図】図４
2010095981.tif 000002
【特許請求の範囲】
【請求項１】
合成樹脂、鉄板、紙、木  等の材質で形成された札状の平板にあるパターンの複数の穴または隙間を設け、それを鍵とし、鍵のコントロール装置に挿入した際、札状の平板の複数の穴または隙間の有無を鍵のコントロール装置に内蔵している光電素子により自動的に検出し、あらかじめ鍵のコントロール装置内に登録されている札状の平板の複数の穴または隙間の有無のパターンと比較し合致したら開錠状態となる鍵のコントロール装置
【請求項２】
合成樹脂、鉄板、紙、木  等の材質で形成された札状の平板に特定のパターンの複数の穴または隙間を設け、その札状の平板を登録変更用の鍵とし、鍵のコントロール装置に挿入した際、札状の平板の複数の穴または隙間の有無を装置に内蔵している光電素子により自動的に検出し、あらかじめ鍵のコントロール装置内で登録変更用の鍵として登録されている札状の平板の複数の穴または隙間の有無のパターンと比較し合致すれば、これまで登録されていた札状の平板の複数の穴または隙間の有無のパターンの登録が消去され、そのあと挿入した別な札状の平板の複数の穴または隙間の有無の任意のパターンのものをスペアー用の鍵として登録することができる鍵のコントロール装置
【請求項３】
含成樹脂、鉄板、紙、木  等の材質で形成された札状の平板に特定のパターンの複数の穴または隙間を設け、その札状の平板をマスター用の鍵とし、鍵のコントロール装置に挿入した際、札状の平板の複数の穴または隙間の有無を装置に内蔵している光電素子により自動的に検出し、あらかじめ鍵のコントロール装置内でマスター用の鍵として登録されている札状の平板の複数の穴または隙間の有無のパターンと比較し合致したら開錠状態となる鍵のコントロール装置
【発明の詳細な説明】
【技術分野】
【０００１】  本発明は、鍵に関するものである。
【背景技術】
【０００２】  これまでの札状の平板の鍵においては、板金や木などの材質で製作されたものがほとんどで、凹凸などの形状を利用し物理的な細工により工夫されたものが多く、光電素子を利用したものは、存在しない。【０００３】  また、鍵違いの組合せ数が少なく１０００以上のものは、存在しない。
【発明の開示】
【発明が解決しようとする課題】
【０００４】  これまでの札状の平板の鍵は、鍵違いの組合せ数が少なく、同一の場所で多数の鍵を設置することが困難であった。【０００５】  また、万一、鍵を紛失した場合などスペアー用の鍵の入手または製作するなど手配するのに時間がかかった。
【課題を解決するための手段】
【０００６】  本発明は、札状の平板にあるパターンの複数の穴または隙間を設け、それを鍵とし、鍵のコントロール装置に挿入した際、あらかじめ鍵のコントロール装置内に登録されている札状の平板の複数の穴または隙間の有無のパターンを比較し、合致していれば開錠するしくみとなっている。よって、例えば１０の穴または隙間があるとして、その有無から計算すれば１０２４通りの鍵違い組合せをつくることが出来、さらに穴または隙間を増やせば、さらに多くの鍵番違いの組合せをつくることが可能となる。【０００７】  万一、鍵を紛失した場合は、［請求項２］による登録変更用の鍵を用いることにより、鍵のコントロール装置内に登録されている札状の平板の複数の穴または隙間の有無のパターンの登録を消去し、新たに別な札状の平板の複数の穴または隙間の有無のパターンのものをスペアー用の鍵として登録することが容易に可能となる。
【発明の効果】
【０００８】  本発明は、札状の平板の鍵を同一場所で多数の鍵を設置する場合、多数の鍵番違いの組合せをつくることができ、万一、使用している鍵を紛失した際は、鍵のコントロール装置内の登録を容易に変更することができる。
【発明を実施するための最良の形態】
【０００９】  ［図１］に札状の平板の鍵の外観の一例を示し、［図２］に鍵のコントロール装置の外観の一例を示す。札状の平板の鍵（３）を鍵のコントロール装置（４）に挿入すると開錠される仕組みとなっている。【００１０】  鍵のコントロール装置（４）内部には、札状の平板の鍵（３）が差し込まれると、［図３］に示すように複数の光電素子（７）が並び、札状の平板の鍵（３）の複数の穴または隙間（１）の有無を自動的に検出する。【００１１】  ［図４］に示すように、その検出結果がマイクロコンピュータ（１０）へ送られ、あらかじめマイクロコンピュータ（１０）に登録されている複数の穴または隙間（１）の有無のパターンと比較し合致すれば、鍵のコントロール装置（４）から鍵制御回路（１１）を経て、鍵の機構部（１２）へ開錠の信号が送出され開錠状態となる。【００１２】  あらかじめマイクロコンピュータ（１０）に登録されている複数の穴または隙間（１）の有無のパターンと比較し合致しない場合は、施錠状態のままとなる。【００１３】  万一、使用していた札状の平板の鍵（３）を紛失した場合は、あらかじめマイクロコンピュータ（１０）に登録してある登録変更用の札状の平板の鍵（３）を鍵のコントロール装置（４）に挿入後、新たに別な札状の平板の鍵（３）を挿入すると、その札状の平板の複数の穴または隙間の有無のパターンをスペアー用の鍵として登録することができる。
【図面の簡単な説明】
【００１４】
【図１】札状の平板の鍵の外観の一例
【図２】鍵のコントロール装置の外観の一例
【図３】札状の平板の鍵の検出方法
【図４】鍵のコントロール装置のブロック図
【符号の簡単な説明】
【００１５】１  複数の穴または隙間
２  ストラップ用の穴
３  札状の平板の鍵
４  鍵のコントロール装置
５  表示用ＬＥＤ
６  札状の平板の鍵の挿入口
７  光電素子
８  ＡＣコンセント
９  安定化電源
１０  マイクロコンピュータ
１１  鍵制御回路
１２  鍵の機構部
【図１】
2010095981.tif 000003
【図２】
2010095981.tif 000004
【図３】
2010095981.tif 000005
【図４】
2010095981.tif 000006
(57)【要約】【課題】  洗浄性能が良い成形加工機洗浄用の熱可塑性樹脂組成物の提供。【解決手段】  アクリロニトリルの含有量が２８質量％以下であるＡＳ樹脂１００質量部に対して、脂肪族系界面活性剤と芳香族系界面活性剤から選ばれる１又は２以上の界面活性剤０．５〜１０質量部を含有している、成形加工機洗浄用の熱可塑性樹脂組成物【選択図】  なし【特許請求の範囲】
【請求項１】
アクリロニトリルの含有量が２８質量％以下であるＡＳ樹脂１００質量部に対して、脂肪族系界面活性剤と芳香族系界面活性剤から選ばれる１又は２以上の界面活性剤０．５〜１０質量部を含有している、成形加工機洗浄用の熱可塑性樹脂組成物。
【請求項２】
前記ＡＳ樹脂中のアクリロニトリルの含有量が２０〜２８質量％である、請求項１記載の熱可塑性樹脂組成物。
【請求項３】
前記界面活性剤が、脂肪族系界面活性剤と芳香族系界面活性剤から選ばれる混合物である、請求項１又は２記載の成形加工機洗浄用の熱可塑性樹脂組成物。
【請求項４】
前記配合比（脂肪族系界面活性剤／芳香族系界面活性剤）が１／１０〜１０／１の範囲である、請求項３記載の熱可塑性樹脂組成物。
【請求項５】
更にＡＳ樹脂１００質量部に対して無機フィラーを０．５〜１５０重量部含有する、請求項１〜４のいずれか１項に記載の熱可塑性樹脂組成物。
【発明の詳細な説明】
【技術分野】
【０００１】
本発明は、押出機、射出成形機器等の成形加工機用の内部を洗浄するために用いる洗浄用樹脂組成物に関する。
に関する。
【背景技術】
【０００２】
熱可塑性樹脂の成形加工機用の洗浄剤として、ベース樹脂と界面活性剤を組み合わせたものが知られている。特許文献１の実施例では、ＡＳ樹脂に対して、ドデシルベンゼンスルホン酸ナトリウム又はα−オレフィンスルホン酸ナトリウムを配合したものが記載されている。
【特許文献１】特開２０００−１１９４６４号公報
【発明の開示】
【発明が解決しようとする課題】
【０００３】
本願発明は、より洗浄力が向上された、熱可塑性樹脂の成形加工機用の洗浄剤として使用する熱可塑性樹脂組成物を提供することを課題とする。
【課題を解決するための手段】
【０００４】
本願発明は、課題の解決手段として、アクリロニトリルの含有量が２８質量％以下であるＡＳ樹脂１００質量部に対して、脂肪族系界面活性剤と芳香族系界面活性剤から選ばれる１又は２以上の界面活性剤０．５〜１０質量部を含有している、成形加工機洗浄用の熱可塑性樹脂組成物を提供する。
【発明の効果】
【０００５】
本発明の成形加工機洗浄用の熱可塑性樹脂組成物は、特定のベース樹脂と脂肪族系界面活性剤や芳香族系界面活性剤又はそれらの混合物の組み合わせにより、高い洗浄性能を有している。
【発明を実施するための最良の形態】
【０００６】
＜ＡＳ樹脂＞
本発明で用いるＡＳ樹脂は、アクリロニトリルの含有量が２８質量％以下のものであり、好ましくはアクリロニトリルの含有量が２０〜２８質量％であり、より好ましくはアクリロニトリル含有量が２３〜２７質量％である。前記アクリロニトリルの含有量は、実施例に記載の測定法による分析値である。
【０００７】
＜界面活性剤＞
本発明で用いる界面活性剤は、脂肪族系界面活性剤と芳香族系界面活性剤から選ばれる１又は２以上の界面活性剤であり、好ましくは脂肪族系界面活性剤の１以上と芳香族系界面活性剤１以上の混合物である。
【０００８】
脂肪族系界面活性剤としては、アルカンスルホン酸ナトリウム塩、α-オレフィンスルホン酸ナトリウム塩が好ましく、芳香族系界面活性剤としてはアルキルベンゼンスルホン酸ナトリウム塩が好ましい。
【０００９】
本発明の組成物中の界面活性剤又は界面活性剤混合物の含有量は、ＡＳ樹脂１００質量部に対して０．５〜１０質量部が好ましく、０．５〜６質量部がより好ましく、１〜３質量部が更に好ましい。
【００１０】
脂肪族系界面活性剤と芳香族系界面活性剤の混合物を用いるときの配合比（質量比）は、前記配合比（脂肪族系界面活性剤／芳香族系界面活性剤）は１／１０〜１０／１の範囲が好ましく、１／６〜６／１の範囲がより好ましく、１／３〜３／１の範囲が更に好ましい。
【００１１】
＜その他の成分＞
本発明の組成物は、更にガラスファイバー、ロックウール等の公知の無機フィラーを配合することができる。無機フィラーの含有量は、ＡＳ樹脂１００質量部に対して０．５〜１５０重量部が好ましく、２０〜１４０質量部がより好ましく、４０〜１２０質量部が更に好ましい。
【００１２】
本発明の組成物には、本発明の課題を解決できる範囲内で、公知の各種添加剤を含有することができる。公知の添加剤としては、例えば、上記の特許文献１の段落１２、１３に記載のアルキレングリコール脂肪酸エステルの他、多価アルコールや金属石鹸、また特開２００２−１７３４に記載のリン酸エステル系化合物を用いることができる。
【００１３】
本発明の組成物は、各成分をヘンシェルミキサー、タンブラーブレンダー、ニーダー等の混合機で予備混合した後、押出機で溶融混練したり、加熱ロール、バンバリーミキサーで溶融混練したりする方法を適用して得ることができる。
【実施例】
【００１４】
実施例１〜７、比較例１〜６
表１に示す組成の各成分をタンブラーブレンダーで混合後、押出機にて溶融混練し、ペレット状の洗浄用樹脂組成物を得た。これらの組成物を使用し、下記の方法で洗浄試験を行った。結果を表１に示す。
【００１５】
射出成形機（三菱重工業製「三菱射出成形機２６５／１００ＭＳII」；シリンダー温度２５０℃）に、先行使用樹脂としてＡＢＳ樹脂（ダイセルポリマー製セビアンV５５０SF）の黒着色品（ドライカラー；カーボンブラック濃度２％）１ｋｇを流した。その後、表１の組成の各洗浄用樹脂組成物を流して黒色が消えるまでの組成物の使用量による評価と、続いてＡＳ樹脂（ダイセルポリマー製セビアンＮ  ０５０ＳＦ）を流して射出成形し、成形品に黒色が残っているかどうかを確認した。
【００１６】
（ＡＳ樹脂中のＡＮ含有割合の測定方法）
窒素分析装置（住化分析センター（株）製）を使用して窒素量から測定。この窒素分析装置は、スミグラフNC-90A（住化分析センター（株）製）、GC-8A（株式会社島津製作所製）、C-R6A（株式会社島津製作所製）から構成されている。
【００１７】
ＡＳ−１：ＡＳ樹脂（AN量２４.３質量％）
ＡＳ−２：ＡＳ樹脂（AN量２７.０質量％）
ＡＳ−３：ＡＳ樹脂（ダイセルポリマー株式会社製 セビアンN 080 AN量２９.５質量％）
界面活性剤１：ドデシルベンゼンスルホン酸ナトリウム
界面活性剤２：α−オレフィンスルホン酸ナトリウム
ＧＦ；ガラス繊維（日本電気硝子（株）製「ＥＣＳ０３Ｔ３５１／Ｐ”」（繊維径１３μm、繊維長３．２mmで、アミノシラン系のシランカップリング剤で表面処理され、アクリル樹脂系集束剤により集束処理されたもの）。
【００１８】
【表１】
2010095624.tif 000002
【００１９】
実施例と比較例の対比から明らかなとおり、ＡＳ樹脂としてＡＮ量が２８質量％以下のものを用いることにより、洗浄性能が高められた。また、界面活性剤として、脂肪族系と芳香族系の混合物を用いた例（実施例１〜５）は、界面活性剤単独の例（実施例６、７）と比べて洗浄性能が高かった。
(57)【要約】【課題】カップ状容器を積み重ねた状態のままで容器内部の異物を除去できる容器用除塵機を提供する。【解決手段】本発明の容器用除塵機は、複数のカップ状容器を積み重ねた状態で保持する保持手段（ガイドポール）と、積み重ねたカップ状容器の軸線に対して横方向からエアブローするエアブロー手段と、を有することを特徴とする。なお、エアブロー手段から発生されるエアブローにイオンを含ませることが好ましい。【選択図】  図１
2010095267.tif 000002
【特許請求の範囲】
【請求項１】
複数のカップ状容器を積み重ねた状態で保持する保持手段と、
積み重ねたカップ状容器の軸線に対して横方向からエアブローするエアブロー手段と、
を有することを特徴とする容器用除塵機。
【請求項２】
請求項１記載の容器用除塵機において、前記エアブロー手段から発生されるエアブローにイオンを含ませることを特徴とする容器用除塵機。
【請求項３】
請求項１または２記載の容器用除塵機において、前記カップ状容器は軸線方向にゆるく積み重ねられていることを特徴とする容器用除塵機。
【請求項４】
請求項１〜３のいずれか１つに記載の容器用除塵機において、前記カップ状容器を軸線を中心に回転させる回転駆動部をさらに有することを特徴とする容器用除塵機。
【請求項５】
請求項１〜４のいずれか１つに記載の容器用除塵機において、積み重ねたカップ状容器の間を広い間隔を空けて支持する支持手段をさらに有することを特徴とする容器用除塵機。
【請求項６】
請求項１〜５のいずれか１つに記載の容器用除塵機において、前記エアブロー手段は前記軸線方向に移動して、積み重ねられたカップ状容器をスキャンすることを特徴とする容器用除塵機。
【請求項７】
請求項１〜６のいずれか１つに記載の容器用除塵機において、吹き飛ばしたホコリを回収する集塵機を有することを特徴とする容器用除塵機。
【発明の詳細な説明】
【技術分野】
【０００１】
本発明は、カップ状容器に付着したホコリ等の異物の除去する容器用除塵機に関する。
【背景技術】
【０００２】
従来は塔状に積み上げられた複数のカップ状容器の中にあるホコリ等の異物を除去することは不可能とされていた。しかし異物除去が必要不可欠の場合は、図２に示すような異物除去を行っていた。すなわち、積み上げられたカップ状容器１０の、例えば、最下端からカップ状容器１０を一個づつ取り出して、エアブロー器１２によるエアブローまたはエアブローと吸引（図示せず）を組み合わせた工程で異物除去を行い、その後、符号１４で示すように、内容物充填工程を行っていた。
【発明の開示】
【発明が解決しようとする課題】
【０００３】
しかし、従来例では、一個づつ処理するために、処理時間や手間すなわち工賃がかかり、また多くのエアを消費するため、無駄な費用とエネルギーを費やしていた。
【０００４】
したがって、本発明の目的は、カップ状容器を積み重ねた状態のままで容器内部の異物を除去できる容器用除塵機を提供することにある。
【課題を解決するための手段】
【０００５】
本発明の容器用除塵機は、複数のカップ状容器を積み重ねた状態で保持する保持手段（ガイドポール）と、積み重ねたカップ状容器の軸線に対して横方向からエアブローするエアブロー手段と、を有することを特徴とする。なお、エアブロー手段から発生されるエアブローにイオンを含ませることが好ましい。
【発明の効果】
【０００６】
本発明によれば、カップ状容器を塔状に積み上げた状態のままで容器内部の異物を除去できる装置を提供でき、異物混入による不良品発生や、食品関連分野では食物の安全を確保するために寄与できる。
【発明を実施するための最良の形態】
【０００７】
本発明の容器用除塵機は、複数のカップ状容器を積み重ねた状態で保持する保持手段（ガイドポール）と、積み重ねたカップ状容器の軸線に対して横方向からエアブローするエアブロー手段と、を備える。また、エアブロー手段から発生されるエアブローにイオンを含ませることが好ましい。
【実施例】
【０００８】
次に、本発明の実施例を図１を参照して説明する。図１は本発明を説明するための図であり、図１ａが平面図であり、図１ｂが側面図であり、図１ｃは図１ａのＡＡ断面図であり、図１ｄは除塵部分を取り出して説明するための原理説明図である。
（実施例）
この実施例では、横方向に積み重ねられたカップ状容器（以下、単に容器という）１０は長手方向にゆるく（余裕を持って）治具３０にセットされる。治具３０は２枚の両端受け板３２と３本のガイドポール３４で構成され、特に長手方向に余裕を持たせてある。この治具３０はその軸線を中心に回転する。軸線に横方向から容器１０に向かってエアブローする。するとエアブローされた部分の容器は風を受けて、図１ａの矢印Ｘ、Ｘで示すように、容器１０間の間隔が広くなる。容器１０と容器１０の間の隙間が広がるので、エアブローした風が容器の間を吹きぬける。この時、内部にあったホコリ等の異物１６を吹き飛ばす。なお、エアにイオンを含ませるようにイオン発生器（イオナイザ）を用いることが好ましい。エアブローする風の中にイオンが含まれていると容器１０と異物に帯電している静電気を中和するので、異物除去の確立を上げることができる。
【０００９】
エアブローするヘッド２０は軸線方向にスキャンし、対象物である容器が軸線を中心に回転駆動部４２によって回転させられるので、すべての容器に渡ってホコリ等異物除去ができる。容器１０を保持する治具３０は例えばガイドポール３４で構成し、開口面を大きくとることにより、横方向からのエアブローや飛散したホコリ回収の邪魔にならないようにする。
【００１０】
エアブローで飛されたホコリ等の異物は集塵フード４０で集められ、集塵機３８で回収され、清浄エアだけが外部に放出される。
【図面の簡単な説明】
【００１１】
【図１】本発明を説明するための図であり、図１ａが平面図であり、図１ｂが側面図であり、図１ｃは図１ａのＡＡ断面図であり、図１ｄは除塵部分を取り出して説明するための原理説明図である。
【図２】従来例の除塵工程を説明するための図である。
【符号の説明】
【００１２】
１０  カップ状容器（容器）
１６  ホコリ等の異物
１８  イオン
２０  ヘッド（エアブローと好ましくはイオンを発生する）
３０  冶具
３２  受け板
３４  ガイドポール
３６  ヘッド駆動部
３８  集塵器
４０  集塵フード
４２  回転駆動部
【図１】
2010095267.tif 000003
【図２】
2010095267.tif 000004
(57)【要約】      （修正有）【課題】微生物および微生物代謝産物を含有する口腔内菌叢改善剤、歯磨き剤、うがい剤、塗布剤、ガム剤の提供。【解決手段】酪酸菌（Ｃｌｏｓｔｒｉｄｉｕｍ  ｂｕｔｙｒｉｃｕｍ）および該酪酸菌の生殖活動によって産出される代謝産物を含有する口腔内菌叢改善剤、歯磨き剤、うがい剤、塗布剤、ガム剤。該口腔用剤は、歯周病、虫歯、歯肉炎、口腔粘膜を化学的、物理的に損傷することによる炎症、口臭などの予防、治療に有用である。【選択図】なし【特許請求の範囲】
【請求項１】
酪酸菌（Ｃｌｏｓｔｒｉｄｉｕｍ  ｂｕｔｙｒｉｃｕｍ）を含有する歯周病菌、虫歯菌、歯肉炎、口腔粘膜を化学的、物理的に損傷することによる炎症、口臭、などの予防、治療を図る菌叢改善剤、歯磨き剤、うがい剤、塗布剤、ガム剤。
【請求項２】
酪酸菌（Ｃｌｏｓｔｒｉｄｉｕｍ  ｂｕｔｙｒｉｃｕｍ）の生殖活動によって産出される代謝産物を含有する歯周病菌、虫歯菌、歯肉炎、口腔粘膜を化学的、物理的に損傷することによる炎症、口臭、など予防、治療を図る菌叢改善剤、歯磨き剤、うがい剤、塗布剤、ガム剤。
【発明の詳細な説明】
【背景技術】
【０００１】日本人の歯周病菌に侵される割合は３５歳以上の８５％達している、また歯周病菌の悪影響は口腔内にとどまらずバーシャー病、動脈硬化、脳梗塞、心筋梗塞、関節炎、などの要因にも関与している見解も発表されている。
歯周病菌は歯槽膿漏を起因する悪性の菌であり通常は歯垢内で生息している菌でありしかも歯垢は歯間、歯根などの狭隘で複雑な部分に生成集積するのが大部分であるため通常の歯磨きだけでは容易に除去できないため歯槽膿漏の要因とし問題となっている。
虫歯細菌（ミュータンス菌）は細菌同士スクラムを組んだ固まり（バイオフイルムを形成している）バイオフイルムは歯磨きや薬品では破壊することはできない、バイオフイルムという強力なバリアで守られた細菌は糖を分解し歯を溶かす酸を産生する。
歯の表面にベタベタとこびりついている細菌の塊やプラーク（歯垢）食べかす等は口臭の要因となっている
口腔粘膜に発生する炎症（口内炎）の原因は種々あるが大気中の病原微生物などが進入し口腔内にさまざまな感染症を引き起こしている場合が多く存在する。
歯槽膿漏の原因である歯周病菌例
Ａ．菌  Ａｃｔｉｎｏｂａｃｉｌｌｕｓ  ａｃｔｉｎｏｍｙｃｅｔｅｍｃｏｍｉｔａｎｓ
Ｐ．ｇ菌  ｐｏｒｐｈｙｒｏｍｏｎａｓ  ｇｉｎｇｉｖａｌｉｓ
Ｐ．ｉ菌  ｐｒｅｖｏｔｅｌｌａ  ｉｎｔｅｒｍｅｄｉａ
Ｂ．ｆ菌  ｂａｃｔｅｒｏｉｄｅｓ  ｆｏｒｓｙｔｈｕｓ
Ｔ．ｄ菌  ｔｒｅｐｏｎｅｍａ  ｄｅｎｔｉｃｏｌａ
【発明の概要】
【０００２】バイオフイルム等のバリアで守られた歯周病菌などは微生物によって駆逐するのが安全且つ確実な方法であるとの理論に立脚した実験を基に多様な微生物の研究実験を重ねた結果、今回の発明の酪酸菌（Ｃｌｏｓｔｒｉｄｉｕｍ  ｂｕｔｙｒｉｃｕｍ）が特効的抗菌作用のある微生物である事を発見し、その酪酸菌に口腔内環境に適合し機能性を充分に発揮する菌質を付加することに成功し発明に至った。
【発明の背景】
【０００３】既存の口腔内治療は歯槽膿漏、虫歯、歯肉炎、ヘルペス、口内炎、等々の治療と薬品は専門的、個別的、取り組みが中心で口腔内総合管理までには至ってない。
本発明は個別の治療効果のみでなく治療する事によって、口腔内全体の総合衛生確保に加え薬剤が嚥下され消化器官内での健康増進作用の効果が得られる発明である。
一方安全性については既存複数の薬品会社より胃腸薬他多数の製品が数十年前より市販されており立証されている。
【発明の有効性】
【０００４】１．酪酸菌を含有した歯磨き剤を使用することで口腔内の歯周病菌や虫歯菌の悪玉巣窟を    駆逐し虫歯や歯槽膿漏の要因を排除する。
２．大気中の病原微生物が進入し口腔粘膜に発生する炎症を発症する要因である病原微生    物を駆逐する。
３．喫煙に伴うニコチン、タールによる皮膚障害炎症部位についても修復効果を発揮する    。
４．口腔粘膜を化学的、物理的に損傷することによる炎症部位の修復効果を発揮する。
５．口腔の次行程である食道についても喫煙弊害、病原微生物障害などの予防修復効果を    発揮する。
６．口腔内に残存した酪酸菌は歯間や歯根など有機物を栄養源として生殖活動をすること    により酪酸、酢酸、プロピオン酸、ビタミン２・Ｂ６・Ｂ１２・Ｃ、酵素、オリゴ糖    など産出しビフィズス菌や乳酸菌などの善玉菌を増殖する効果があるため口腔内の歯    周病菌や虫歯菌の悪玉巣窟を善玉菌叢に置換し理想的な口腔管理が実現できる。
７．歯磨きなどのメンテナンス時間を大幅に短縮できる。
【発明の詳細】
【０００５】口腔内予防の方法を物理的処理（歯ブラシで清掃掻き出し、歯磨き粉で表面を研磨する）から微生物の特性を生かした方式に転換することにより物理的に損傷などなく長時間の歯磨き時間を必要としない画期的な方式である。
使用例：夕食後ブラシのみで歯全体をブラッシングし付着物を簡単に洗い流しブラシに酪酸菌（Ｃｌｏｓｔｒｉｄｉｕｍ  ｂｕｔｙｒｉｃｕｍ）末又は、培養エキス（液）を含浸させた歯ブラシにて歯間及び歯根全体に塗布する、翌朝までに口腔内は歯周病菌や虫歯菌は駆除され歯肉炎などの炎症は改善し善玉菌叢に置換される、悪玉バイオフイルムの集積のある場合も持続することでバリヤーを微生物で壊滅させることが可能なる。
歯周病菌の駆逐実験結果  別添写真（参照）
【詳細説明】
【０００６】１．嫌気性微生物である酪酸菌は歯間や歯根など狭隘な部分での生殖活動が適しており、しかも口腔内は酪酸菌の生殖活動に必要な三大要素が最適な条件で揃っている（歯間や歯根には残存有機物があり、温度条件は３７℃と最適、適量の水分もある）ため短時間に増殖し口腔内条件を速やかに好条件（善玉菌叢）への変換を図ること出来る。
２．匂いが気になる場合は軽いミント香りなど趣向により付加する。
更に酪酸菌の機能を向上させるため口腔内環境を整えるための水素イオン濃度調整が可能な酪酸菌を開発。
口腔内条件で生殖活動が活性化する条件を付加した酪酸菌を開発。
汎用歯磨き剤使用薬品の影響を受けない菌質の開発例えば▲１▼カルボキシメチル、ロースナトリウム、ラウリル硫酸ナトリウム、ソルビット液等に対して生存確認され歯磨き剤に添加混合した状態での有効性確認済。
３．口腔内病原菌性微生物の駆除及び口腔内菌叢改善剤の性状としては粉状、練り状、液体の三種類を作成できる。
４．安全性について
本発明に使用している酪酸菌（Ｃｌｏｓｔｒｉｄｉｕｍ  ｂｕｔｙｒｉｃｕｍ）は６０年前に千葉大学宮入欣治教授に依って発見され以後医薬品、飼料添加物として発売され５０年以上の実績のある菌であり、粉末錠剤等に加工され胃腸薬など汎用市販さえている使用例は多種ありその安全性は証明済みである。
2010095503.tif 000002
(57)【要約】      （修正有）【課題】口内炎及び帯状疱疹に対し、安全で完治に至る決定的な治療剤の提供。【解決手段】ヒト．動物にとって安全且つ安定した微生物生殖活動及び微生物の生殖活動によって産出される代謝産物液で特にウイルス性の皮膚粘膜の修復作用を活用した安価で簡便な画期的な治療剤の提供であり、マウス及びトリを用いた基礎研究を基にヒト投与に対する研究及び治験を重ねた結果酪酸菌（Ｃｌｏｓｔｒｉｄｉｕｍ  ｂｕｔｙｒｉｃｕｍ）の生殖活動によって産出される代謝産物を含有する液が口内炎及び帯状疱疹治療剤としての効果が立証された。【選択図】なし【特許請求の範囲】
【請求項１】
酪酸菌（Ｃｌｏｓｔｒｉｄｉｕｍ  ｂｕｔｙｒｉｃｕｍ）を含有する口内炎及び帯状疱疹治療剤。
【請求項２】
酪酸菌（Ｃｌｏｓｔｒｉｄｉｕｍ  ｂｕｔｙｒｉｃｕｍ）の生理生殖活動により産出される代謝産物を含有する培養液．培養エキスの口内炎及び帯状疱疹治療剤。
【発明の詳細な説明】
【背景技術】
【０００１】口内炎は口腔内に病巣をつくり、痛みを伴い再発を繰り返すことが特徴とする病気である。原因としては多岐に渡り、細菌感染や免疫異常、栄養障害、胃腸障害などが挙げられるがこの他にも口腔粘膜を化学的、機械的に損傷することによって起こる口内炎及び、カンジタやヘルペスなどの感染、近年はストレスに起因する口内炎も増加している。
水疱瘡では口腔内の水疱形成と不規則な赤いびらんを特徴とする多形滲出性紅斑でも紅斑や水疱、ビランが生じる特徴もある。
帯状疱疹（ヘルペス）による帯状の発診、小水泡症状がある。
これらの治療方法としてはビタミン剤の補給、抗生物質やステロイド剤、レーザー光線照射さらに免疫抑制剤の全身投与などあるが、いずれも患者にとって物理的、精神的な負担が大きい。
弊社は治療が簡易且つ安全で患者の負担が少ない微生物を活用した治療方法、酪酸菌（Ｃｌｏｓｔｒｉｄｉｕｍ  ｂｕｔｙｒｉｃｕｍ）及び代謝産物液酪酸菌入り培養液及び培養エキスの効果が顕著であることを発明した。
【発明の詳細】
【０００２】近年の基礎研究により口内炎の一要因としては硫化水素がクローズアップされている。
硫化水素は口腔内で発生した硫化水素が粘膜細胞の代謝を阻害するなどして傷害する、生体内の硫化水素産生細菌の硫化水素産生能を抑制する事が望まれており、酪酸菌（Ｃｌｏｓｔｒｉｄｉｕｍ  ｂｕｔｙｒｉｃｕｍ）及び酪酸菌入り培養液．培養エキスが口腔内細菌及び腸内細菌の中の硫化水素産生菌を抑制する事を発明した。
図面（抑制状況微鏡写真別添写真▲１▼、特願２００６−１１２５０）
【０００３】弊社では更に酪酸菌及び酪酸菌入り培養液．培養エキスをマウスに用いた皮膚炎治療に関する基礎研究及び人投与に関する基礎研究を重ね特に酪酸菌含有発酵液の口内炎及び帯状疱疹治癒効果が高いことを発明した。
【０００４】酪酸菌（Ｃｌｏｓｔｒｉｄｉｕｍ  ｂｕｔｙｒｉｃｕｍ）は生殖活動のライフサイクル中に特有の臭気を持つ酪酸、酢酸、プロピオン酸等の有機酸及びビタミンＢ２、Ｂ６、１２Ｂ１２、Ｃ等ヒト動物にとって有用物を産出する。
飲用等に使用する場合に酪酸等の異臭気による飲みにくさも勘案し各種研究の結果、香料を用いたマスキング方式技術を完成（特許取得済）させ、この技術をより活用する事により口内炎剤としても多様化、実用化を図る事が可能となった。
【０００５】投与方法及び治療効果、酪酸菌（Ｃｌｏｓｔｒｉｄｉｕｍ  ｂｕｔｙｒｉｃｕｍ）及びその生殖活動によって産出される酪酸菌及び代謝産物酪酸菌入り培養液及び培養エキスを含有する液練り剤を綿棒などで患部に塗布する方法及び酪酸菌（Ｃｌｏｓｔｒｉｄｉｕｍ  ｂｕｔｙｒｉｃｕｍ）の生殖活動によって産出される代謝産物酪酸菌入り培養液及び培養エキスを含有する液を塗布剤、うがい剤、飲用剤として使用する方法何れの方法でも良く患者負担が大幅に軽減され治癒効果も顕著である、口内炎治療試験結果（別表１）。
【０００６】本発明に用いられる酪酸菌（Ｃｌｏｓｔｒｉｄｉｕｍ  ｂｕｔｙｒｉｃｕｍ）は偏性嫌気菌で芽胞を形成するグラム陽性の桿菌であり、芽胞形態に於いては耐熱性、耐酸性があり生菌として安定性に優れている。
【０００７】本発明に用いられる酪酸菌培養液は通常、酪酸菌を培養する培地（バレーショ澱粉、アミノ酸、水等を含む）で２０〜４２℃、２０〜７０時間培養して得られる培養液である。
【０００８】本発明に用いられる酪酸菌培養エキスは、培養液を遠心分離により固液分離した液部分である、分離方式は各種あるが本発明での分離方式は超遠心分離機を活用し菌液を分離するもので培養液の重量流量を検出制御し最適化を図った液体である。
【０００９】酪酸菌培養液及び酪酸菌培養液エキス中には、代謝物である酪酸、酢酸、プロピオン酸等の有機物、アミラーゼ、アミノ酸、ビタミンＢ２、ビタミンＢ６、ビタミンＢ１２、ビタミンＣ、菌体成分等ヒト、動植物にとって有用物質が豊富に含まれている。
【０００１０】皮膚炎試験（アトピー性皮膚炎マウス（Ｎｃ／Ｎｇ）を使用）
飲水給餌に酪酸菌培養液エキス、エキス＋死菌、死菌、水道水をそれぞれグループ化したマウスに与え皮膚及び脾臓の状況を２２日後検定、酪酸菌培養液エキス及び死菌等与えた場合と水道水のみ与えた場合との治癒症状から有効性が証明された
（皮膚のＨ＆Ｅ染色  別添写真▲２▼  脾臓のＨ＆Ｅ染色  別添写真▲３▼  皮膚コンゴーレッド染色  別添写真▲４▼  皮膚のトルイジンブルー染色別添写真▲５▼）
尚、死菌とは酪酸菌を死滅させた後残る菌体成分効果の活用を図るものである。
【安全性】
【０００１１】本発明に使用している酪酸菌（Ｃｌｏｓｔｒｉｄｉｕｍ  ｂｕｔｙｒｉｃｕｍ）  は６０年前に千葉大学宮入欣治教授に依って発見され以後医薬品、飼料添加物として発売され５０年以上の実績のある菌であり、粉末錠剤等に加工され胃腸薬など汎用市販さえている使用例は多種ありその安全性は証明済みである。
2010095504.tif 000002
2010095504.tif 000003
2010095504.tif 000004
2010095504.tif 000005
2010095504.tif 000006
2010095504.tif 000007